【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
独立に発光を制御可能な複数の光源を有する発光手段と、
前記発光手段からの光の透過率を調節する第２のパネルと、
前記第２のパネルからの光の透過率を調節する第１のパネルと、
を備え、画像データに基づく画像を表示する表示装置であって、
前記第１のパネルに対し、前記画像データに基づき画素毎に透過率を制御する第１の制御を行う第１の制御手段と、
前記画像データにおいて高輝度の画像領域に低輝度の画像領域が隣接している場合に、前記低輝度の画像領域に対応する部分における前記第２のパネルの透過率を、前記高輝度の画像領域に対応する部分における前記第２のパネルの透過率よりも低くする、第２の制御を行う第２の制御手段と、
を備える表示装置。
【請求項２】
前記低輝度の画像領域に対応する前記第２のパネルの部分は、前記高輝度の画像領域に対応する前記第２のパネルの部分に隣接する部分である請求項１に記載の表示装置。
【請求項３】
前記低輝度の画像領域に対応する前記第２のパネルの部分は、前記高輝度の画像領域に対応する前記第２のパネルの部分から、所定の距離にある部分である請求項１に記載の表示装置。
【請求項４】
前記所定の距離は、前記光源からの光束の広がりの程度に基づく距離である請求項３に記載の表示装置。
【請求項５】
前記第２の制御手段は、前記第２の制御において、前記高輝度の画像領域に対応する前記第２のパネルの部分から前記低輝度の画像領域に対応する前記第２のパネルの部分までの間の部分の透過率を、前記高輝度の画像領域に対応する前記第２のパネルの部分と同じ透過率に制御する請求項３又は４に記載の表示装置。
【請求項６】
前記第２の制御手段は、前記第２の制御において、前記高輝度の画像領域に対応する前記第２のパネルの部分から前記低輝度の画像領域に対応する前記第２のパネルの部分までの間の部分の透過率を、前記高輝度の画像領域に対応する前記第２のパネルの部分よりも低くする請求項３又は４に記載の表示装置。
【請求項７】
前記第２の制御手段は、前記第２の制御において、前記高輝度の画像領域に対応する前記第２のパネルの部分からの距離が前記低輝度の画像領域に対応する前記第２のパネルの部分よりも遠い位置にある前記第２のパネルの部分の透過率を、前記高輝度の画像領域に対応する前記第２のパネルの部分の透過率と前記低輝度の画像領域に対応する前記第２のパネルの部分の透過率の間の透過率に制御する請求項２〜６のいずれか１項に記載の表示装置。
【請求項８】
前記第２の制御手段は、前記画像データにおいて輝度の差が閾値以上である領域が隣接している場合に、高輝度の画像領域と低輝度の画像領域が隣接していると判定する請求項１〜７のいずれか１項に記載の表示装置。
【請求項９】
前記第２の制御手段は、前記画像データにおいてエッジの検出を行い、エッジが検出された場合に、高輝度の画像領域と低輝度の画像領域が隣接していると判定する請求項１〜７のいずれか１項に記載の表示装置。
【請求項１０】
前記第２の制御手段は、前記検出したエッジの両側の画素の輝度を比較し、輝度が低い方の画素の領域を前記低輝度の画像領域とし、輝度が高い方の画素の領域を前記高輝度の画像領域として前記第２の制御を行う請求項９に記載の表示装置。
【請求項１１】
前記画像データにおいて、高輝度の画像領域に対し、当該高輝度の画像領域との輝度の差が閾値以上である第１の低輝度の画像領域が隣接するとともに、前記第１の低輝度の画像領域とは反対側に前記高輝度の画像領域との輝度の差が閾値より小さい第２の低輝度の画像領域が隣接している場合、前記第２の制御手段は、前記第２の制御において、前記第１の低輝度の画像領域に対応する部分における前記第２のパネルの透過率を、前記高輝度の画像領域に対応する部分における前記第２のパネルの透過率よりも低くする制御を行う請求項１に記載の表示装置。
【請求項１２】
前記第２のパネルの画素間距離は、前記第１のパネルの画素間距離と同じであり、
前記高輝度の画像領域に対応する前記第２のパネルの部分は、前記高輝度の画像領域を構成する画素と同じ位置にある前記第２のパネルの画素であり、
前記低輝度の画像領域に対応する前記第２のパネルの部分は、前記高輝度の画像領域を構成する画素に隣接する前記第２のパネルの画素である請求項１又は２に記載の表示装置。
【請求項１３】
前記第２のパネルの画素間距離は、前記第１のパネルの画素間距離と同じであり、
前記高輝度の画像領域に対応する前記第２のパネルの部分は、前記高輝度の画像領域を構成する画素と同じ位置にある前記第２のパネルの画素であり、
前記低輝度の画像領域に対応する前記第２のパネルの部分は、前記高輝度の画像領域を構成する画素から所定の距離にある前記第２のパネルの画素である請求項１、３〜６のいずれか１項に記載の表示装置。
【請求項１４】
前記第２のパネルの画素間距離は、前記第１のパネルの画素間距離より大きく、
前記高輝度の画像領域に対応する前記第２のパネルの部分は、前記高輝度の画像領域を構成する画素を包含する前記第２のパネルの画素又は前記高輝度の画像領域を構成する画素と共通部分を有する前記第２のパネルの画素であり、
前記低輝度の画像領域に対応する前記第２のパネルの部分は、
前記高輝度の画像領域を構成する画素を包含する前記第２のパネルの画素に隣接する前記第２のパネルの画素又は
前記高輝度の画像領域を構成する画素と共通部分を有する前記第２のパネルの画素に隣接
する前記第２のパネルの画素である請求項１又は２に記載の表示装置。
【請求項１５】
前記第２のパネルの画素間距離は、前記第１のパネルの画素間距離より大きく、
前記高輝度の画像領域に対応する前記第２のパネルの部分は、
前記高輝度の画像領域を構成する画素を包含する前記第２のパネルの画素又は前記高輝度の画像領域を構成する画素と共通部分を有する前記第２のパネルの画素であり、
前記低輝度の画像領域に対応する前記第２のパネルの部分は、
前記高輝度の画像領域を構成する画素を包含する前記第２のパネルの画素から所定の距離にある前記第２のパネルの画素又は
前記高輝度の画像領域を構成する画素と共通部分を有する前記第２のパネルの画素から所定の距離にある前記第２のパネルの画素である請求項１又は２に記載の表示装置。
【請求項１６】
前記発光手段の光源間距離は、前記第２のパネルの画素間距離より大きい請求項１４又は１５に記載の表示装置。
【請求項１７】
前記各光源に対応するエリアにおける前記画像データの特徴量に基づき前記各光源の輝度を制御する第３の制御手段をさらに備える請求項１〜１６のいずれか１項に記載の表示装置。
【請求項１８】
前記第３の制御手段は、前記低輝度の画像領域に対応するエリアに対応する光源の輝度を前記高輝度の画像領域に対応するエリアに対応する光源の輝度より低くするか又は消灯させる請求項１７に記載の表示装置。
【請求項１９】
独立に発光を制御可能な複数の光源を有する発光手段と、
前記発光手段からの光の透過率を調節する第２のパネルと、
前記第２のパネルからの光の透過率を調節する第１のパネルと、
を備え、画像データに基づく画像を表示する表示装置の制御方法であって、
前記第１のパネルに対し、前記画像データに基づき画素毎に透過率を制御する第１の制御を行う工程と、
前記画像データにおいて高輝度の画像領域に低輝度の画像領域が隣接している場合に、前記低輝度の画像領域に対応する部分における前記第２のパネルの透過率を、前記高輝度の画像領域に対応する部分における前記第２のパネルの透過率よりも低くする、第２の制御を行う工程と、
を有する表示装置の制御方法。
【請求項２０】
請求項１９に記載の表示装置の制御方法の各工程をコンピュータに実行させるためのプログラム。